(57)【特許請求の範囲】
【請求項１】
縦方向および横方向を有し、身体側およびその反対側である非身体側と、前後ウエスト域および前記前後ウエスト域間に位置するクロッチ域と、ウエスト開口およびレッグ開口と、前記縦方向に延びる両側縁とを有するシャーシと、前記前後ウエスト域の前記両側縁が互いに接合されたシーム領域と、前記前後ウエスト域に前記縦方向に離間して取り付けられた複数本のウエスト弾性体とを含む使い捨て着用物品において、
前記シャーシは、熱溶融性樹脂を含む繊維不織布製の内外面シートを有し、
前記内外面シートは、それらの間に介在された前記ウエスト弾性体の全周に塗布したホットメルト接着剤を介して互いに接合されており、
前記ウエスト弾性体は、前記ウエスト開口を形成する端縁から離間して取り付けられるとともに、前記端縁と前記ウエスト弾性体との間には、前記内外面シートを加圧加熱によって互いに接合するシール部が複数形成されており、
前記シーム領域は、前記内外面シートを加圧加熱することによって形成される複数の接合部を有し、
前記接合部は、前記横方向内側に位置するとともに、前記縦方向に離間して配置される第１部分と、前記第１部分の前記横方向外側に位置するとともに、前記縦方向に離間して配置される第２部分とを有し、
前記ウエスト弾性体の前記縦方向の長さ寸法は、前記第１及び第２部分における前記縦方向の離間寸法よりも小さく、かつ、前記接合部の前記縦方向の長さ寸法よりも大きくなっていることを特徴とする前記使い捨て着用物品。
【請求項２】
前記第１部分と第２部分との前記横方向における離間寸法は、前記ウエスト弾性体の前記縦方向の長さ寸法よりも小さい請求項１記載の使い捨て着用物品。
【請求項３】
前記接合部と前記シール部とが、前記両側縁において一部重なって形成される請求項１または２記載の使い捨て着用物品。
【請求項４】
前記前後ウエスト域の少なくともいずれか一方には、積層シートが取り付けられ、前記積層シートは、前記横方向に延びる積層シート内外端縁と、前記縦方向に延びる積層シート両側縁とを有し、前記積層シート両側縁は、前記シーム領域で前記シャーシとともに接合され、前記積層シート外端縁は、前記シャーシによって形成された前記ウエスト開口を形成する端縁よりも前記縦方向内側に位置する請求項１〜３のいずれかに記載の使い捨て着用物品。
【請求項５】
前記積層シートは、前記シャーシの前記非身体側に接合され、前記積層シートと前記シャーシとの間には、これらが互いに接合される接合領域と、前記積層シート内外端縁近傍の少なくともいずれか一方に位置する非接合領域とを有する請求項４記載の使い捨て着用物品。
【請求項６】
前記接合部は、前記積層シートの前記非接合領域に対応する部位に位置する請求項５記載の使い捨て着用物品。
【請求項７】
前記シャーシは、前記前ウエスト域を形成する前ウエスト部材と、前記後ウエスト域を形成する後ウエスト部材と、前記クロッチ域を形成するクロッチ部材とを有し、
前記クロッチ部材のクロッチ前後端縁は、前記前後ウエスト部材の非身体側に接合され、前記積層シートは、前記クロッチ前後端縁を覆って前記前後ウエスト部材の前記非身体側に接合される請求項４〜６のいずれかに記載の使い捨て着用物品。
【発明の詳細な説明】
【技術分野】
【０００１】
この発明は、使い捨て着用物品に関し、より詳しくは、前後ウエスト域がその両側縁においてシーム領域によって接合された使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前後ウエスト域の両側縁を接合してシーム領域を形成し、パンツ型とした使い捨ておむつは公知である。例えば、特許文献１および２には、前後ウエスト域に縦方向に離間する複数の弾性体が取り付けられ、その両側においてシーム領域が形成されたおむつが開示されている。シーム領域は、横方向に延び、かつ、互いに縦方向へ離間して配置された複数の接合ラインによって形成されている。
【先行技術文献】
【特許文献】
【０００３】
【特許文献１】特開２００３−２４３８２公報（ＪＰ  ２００３−２４３８２  Ａ）
【特許文献２】実開平１１−１４７公報（ＪＰ  １１−１４７  Ｕ）
【発明の概要】
【発明が解決しようとする課題】
【０００４】
特許文献１では、部分的に接合ラインが弾性体に重なって形成されている。このように、接合ラインが弾性体に重なって形成されると、弾性体が切断され、所望の収縮力が得られなくなる可能性がある。一方、特許文献２では、弾性体の間に接合ラインを形成するようにしているが、接合ラインの太さ、弾性体の直径、弾性体の離間寸法等の相互関係を十分に考慮しなければ、弾性体の一部が接合ラインと重なって切断されるおそれがある。
【０００５】
この発明では、シーム領域を形成する接合部によって前後ウエスト弾性体が切断されるのを防止することができる使い捨て着用物品を提供することを課題とする。
【課題を解決するための手段】
【０００６】
この発明は、縦方向および横方向を有し、身体側およびその反対側である非身体側と、前後ウエスト域および前記前後ウエスト域間に位置するクロッチ域と、ウエスト開口およびレッグ開口と、前記縦方向に延びる両側縁とを有するシャーシと、前記前後ウエスト域の前記両側縁が互いに接合されたシーム領域と、前記前後ウエスト域に前記縦方向に離間して取り付けられた複数本のウエスト弾性体とを含む使い捨て着用物品の改良にかかわる。
【０００７】
この発明は、前記使い捨て着用物品において、前記シャーシは、熱溶融性樹脂を含む繊維不織布製の内外面シートを有し、前記内外面シートは、それらの間に介在された前記ウエスト弾性体の全周に塗布したホットメルト接着剤を介して互いに接合されており、前記ウエスト弾性体は、前記ウエスト開口を形成する端縁から離間して取り付けられるとともに、前記端縁と前記ウエスト弾性体との間には、前記内外面シートを加圧加熱によって互いに接合するシール部が複数形成されており、前記シーム領域は、前記内外面シートを加圧加熱することによって形成される複数の接合部を有し、前記接合部は、前記横方向内側に位置するとともに、前記縦方向に離間して配置される第１部分と、前記第１部分の前記横方向外側に位置するとともに、前記縦方向に離間して配置される第２部分とを有し、前記ウエスト弾性体の前記縦方向の長さ寸法は、前記第１及び第２部分における前記縦方向の離間寸法よりも小さく、かつ、前記接合部の前記縦方向の長さ寸法よりも大きくなっていることを特徴とする。
【０００８】
この発明の実施態様のひとつとして、前記第１部分と第２部分との前記横方向における離間寸法は、前記ウエスト弾性体の前記縦方向の長さ寸法よりも小さい。
【００１０】
他の実施態様のひとつとして、前記接合部と前記シール部とが、前記両側縁において一部重なって形成される。
【００１２】
他の実施態様のひとつとして、前記前後ウエスト域の少なくともいずれか一方には、積層シートが取り付けられ、前記積層シートは、前記横方向に延びる積層シート内外端縁と、前記縦方向に延びる積層シート両側縁とを有し、前記積層シート両側縁は、前記シーム領域で前記シャーシとともに接合され、前記積層シート外端縁は、前記シャーシによって形成された前記ウエスト開口を形成する端縁よりも前記縦方向内側に位置する。
【００１３】
他の実施態様のひとつとして、前記積層シートは、前記シャーシの前記非身体側に接合され、前記積層シートと前記シャーシとの間には、これらが互いに接合される接合領域と、前記積層シート内外端縁近傍の少なくともいずれか一方に位置する非接合領域とを有する。
【００１４】
他の実施態様のひとつとして、前記接合部は、前記積層シートの前記非接合領域に対応する部位に位置する。
【００１５】
他の実施態様のひとつとして、前記シャーシは、前記前ウエスト域を形成する前ウエスト部材と、前記後ウエスト域を形成する後ウエスト部材と、前記クロッチ域を形成するクロッチ部材とを有し、前記クロッチ部材のクロッチ前後端縁は、前記前後ウエスト部材の非身体側に接合され、前記積層シートは、前記クロッチ前後端縁を覆って前記前後ウエスト部材の前記非身体側に接合される。
【発明の効果】
【００１６】
この発明の特にそのひとつ以上の実施態様によれば、ウエスト弾性体は縦方向に離間する接合部の間に配置されるとともに、接合部の縦方向における長さ寸法が弾性体のそれよりも小さくされている。したがって、接合部が弾性体に重なってしまったとしても、ウエスト弾性体を分断するように重なることはなく、弾性体を切断するのを防止することができる。
【図面の簡単な説明】
【００１７】
【図１】使い捨て着用物品の一実施形態である使い捨ておむつの斜視図。
【図２】図１のＩＩ−ＩＩ線断面図。
【図３】おむつの一部破断展開図。
【図４】図３のＩＶ−ＩＶ線切断端面図。
【図５】図３のＶ−Ｖ線切断端面図。
【図６】おむつの分解斜視図。
【図７】おむつの一部拡大図。
【図８】図７のＶＩＩＩ部拡大図。
【図９】接合強度の測定方法を説明するための図。
【図１０】おむつの他の例を示した図。
【発明を実施するための形態】
【００１８】
図１は、この発明に係る使い捨て着用物品の一例として示す、使い捨ておむつ１の斜視図、図２は図１のＩＩ−ＩＩ線断面図、図３はおむつ１の展開平面図であって身体側から見た図、図４は図３のＩＶ−ＩＶ線切断端面図、図５は図３のＶ−Ｖ線切断端面図、図６はおむつ１の分解斜視図、図７はおむつ１のシーム領域の拡大図、図８は図７のＶＩＩＩで囲んだ部分の拡大図である。図３〜８において、各弾性要素は、その収縮力に抗して伸長させた状態で示している。おむつ１は、横方向Ｘの長さ寸法を二等分した仮想縦中心線Ｐ−Ｐ、縦方向Ｙの長さ寸法を二等分した仮想横中心線Ｑ−Ｑを有し、仮想縦中心線Ｐ−Ｐに関してほぼ対称とされている。図面において、対称の部分の符号はその一方を一部省略している。
【００１９】
図１に示すとおり、おむつ１は、着用者の身体側およびその反対側である非身体側（着衣側）と、前ウエスト域２と、後ウエスト域３と、前後ウエスト域２，３間に位置するクロッチ域４とを有する。おむつ１は、前後ウエスト域２，３を形成する前後ウエスト部材２０，３０と、クロッチ域４を形成するクロッチ部材４０とを有し、これら前後ウエスト部材２０，３０およびクロッチ部材４０によってシャーシを形成している。前後ウエスト部材２０，３０は、それぞれ縦方向Ｙに離間して横方向Ｘに延びる前後外端縁２１，３１と、内側に位置し横方向Ｘに延びる前後内端縁２２，３２と、縦方向Ｙに延びる前後ウエスト両側縁２３，３３とを有する。前後ウエスト部材２０，３０の前後ウエスト両側縁２３，３３がシーム領域５で互いに接合されることによって、前後ウエスト部材２０，３０が環状を呈している。
【００２０】
図２，３に示すとおり、前後ウエスト部材２０，３０は、身体側に位置する前後ウエスト内面シート２４，３４と、その反対側である非身体側に位置する前後ウエスト外面シート２５，３５と、これらシートの間に取り付けられた複数本の前後ウエスト弾性体２６，３６とを有する。前後ウエスト内面シート２４，３４および前後ウエスト外面シート２５，３５は、単位面積当たりの質量が約１０〜３０ｇ／ｍ２の繊維不織布等を用いることができ、これらシートは、ポリエチレン、ポリプロピレン等の熱溶融性樹脂を含む。前後ウエスト内面シート２４，３４としては、例えば、スパンボンド・メルトブローン・スパンボンド（ＳＭＳ）繊維不織布を用いることができ、前後ウエスト外面シート２５，３５としては、例えば、スパンボンド繊維不織布を用いることができる。
【００２１】
前後ウエスト弾性体２６，３６は、縦方向Ｙに離間して、横方向Ｘに伸長状態で収縮可能に取り付けられ、前後ウエスト部材２０，３０を横方向Ｘに弾性化している。前後ウエスト弾性体２６，３６としては、ストランド状またはストリング状の弾性糸を用いることができる。この実施形態では、約７８０〜９４０ｄｔｅｘの弾性糸を用いている。前ウエスト内外面シート２４，２５と後ウエスト内外面シート３４，３５とは、それぞれ、前後ウエスト弾性体２６，３６のほぼ全周に塗布されたホットメルト接着剤（図示せず）を介して互いに接合されている。
【００２２】
クロッチ部材４０は、横方向Ｘに延びるクロッチ前後端縁４１，４２と、縦方向Ｙに延びるクロッチ両側縁４３とを有し、身体側に位置するクロッチ内面シート４４と、その反対側である非身体側に位置するクロッチ外面シート４５と、これらクロッチ内外面シート４４，４５の間に取り付けられた第１および第２クロッチ弾性体４６，４７とを有する。クロッチ内面シート４４は、不透液性かつ透湿性のプラスチックフィルムを用いることができ、クロッチ外面シート４５は、不透液性の繊維不織布を用いることができる。
【００２３】
クロッチ両側縁４３は、縦方向Ｙに延びる折曲線４８に沿って横方向Ｘ内側に折り返され、折曲領域４９においてはクロッチ内面シート４４が互いに対向している。また、折曲領域４９では、クロッチ前後端縁４１，４２の近傍で、クロッチ内面シート４４が図示しない接着剤等によって互いに接合されている。
【００２４】
第１および第２クロッチ弾性体４６，４７は、複数本のストランド状またはストリング状の弾性糸を用いることができ、縦方向Ｙに伸長状態で収縮可能に取り付けられ、クロッチ両側縁４３を縦方向Ｙに弾性化している。第１クロッチ弾性体４６は、クロッチ両側縁４３に沿って取り付けられている。第２クロッチ弾性体４７は、第１クロッチ弾性体４６よりも横方向Ｘの外側に取り付けられている。この実施形態では、第２クロッチ弾性体４７の一部は、その仮想横中心線Ｑ−Ｑの近傍において、クロッチ両側縁４３と折曲線４８との間に位置し、クロッチ前後端縁４１，４２近傍において、折曲線４８から横方法Ｘの内側へと延出するように湾曲している。第１および第２クロッチ弾性体４６，４７は、クロッチ内外面シート４４，４５の少なくともいずれか一方に、図示しないホットメルト接着剤等によって接合されている。
【００２５】
クロッチ部材４０の身体側には、吸液構造体５０が配置されている。吸液構造体５０は、吸液性の芯材と、芯材を覆う透液性の被覆シートとを有し、芯材として、フラッフパルプや高吸収性ポリマー粒子等を用いることができる。吸液構造体５０は、横方向Ｘに延びる前後端縁５１，５２と、縦方向Ｙに延びる両側縁５３とを有している。吸液構造体５０は、その前後端縁５１，５２がクロッチ前後端縁４１，４２よりも縦方向Ｙの内側に位置し、両側縁５３が折曲線４８よりも横方向Ｘの内側に位置している（図３および図４参照）。
【００２６】
吸液構造体５０は、クロッチ部材４０に対して図示しないホットメルト接着剤等の接合手段によって接合されている。吸液構造体５０は、折曲線４８の横方向Ｘの内側に位置しているので、クロッチ域４で嵩張ることがない。また、第１および第２クロッチ弾性体４６，４７は、吸液構造体５０よりも横方向Ｘの外側に位置するように取り付けられており、これら弾性体によって弾性化されたクロッチ両側縁４３は、着用者の脚周りに密着し、尿等の排泄物が漏れるのを防止することができる。
【００２７】
クロッチ部材４０は、少なくともクロッチ前後端縁４１，４２が前後ウエスト部材２０，３０の非身体側にホットメルト接着剤等の接着手段によって接合されている。具体的には、クロッチ部材４０と前後ウエスト外面シート２５，３５との間には、クロッチ前後端縁４１，４２に沿って横方向Ｘに延びる第１接合部分６１と、第１接合部分６１の横方向Ｘ両側において縦方向Ｙに延びる第２接合部分６２とが形成されている。具体的には、第１接合部分６１において、クロッチ前後端縁４１，４２におけるクロッチ内面シート４４が前後ウエスト外面シート２５，３５に接合され、第２接合部分６２において、折曲領域４９のクロッチ外面シート４５が前後ウエスト外面シート２５，３５に接合されている。第２接合部分６２の縦方向Ｙの長さ寸法は、第１接合部分６１のそれよりも大きくされている。これら第１および第２接合部分６１，６２の間には、接着剤等が塗布されない非接合部分６３が画成される。非接合部分６３は、横方向Ｘのほぼ中央に画成されており、これら第１および第２接合部分６１，６２および非接合部分６３によって、第１および第２接合部分６１，６２はクロッチ域４に向かって開口する凹状を有している。
【００２８】
前後ウエスト部材２０，３０に接合されたクロッチ部材４０の非身体側には、クロッチ前後端縁４１，４２を覆う積層シート７０が取り付けられている。積層シート７０としては、熱溶融性樹脂を含む、単位面積当たりの質量が約１０〜３０ｇ／ｍ２の繊維不織布等、例えば、スパンボンド・メルトブローン・スパンボンド（ＳＭＳ）不織布等を用いることができる。積層シート７０は、横方向Ｘに延びる積層シート７０の外内端縁７１，７２と、縦方向Ｙに延びる積層シート７０の両側縁７３とを有し、積層シート７０の両側縁７３は、前後ウエスト内外面シート２４，２５，３４，３５とともに、シーム領域５で互いに接合されている。
【００２９】
前後ウエスト弾性体２６，３６は、その縦方向Ｙにおける離間寸法が全て同一であってもよいが、部分的にその離間寸法が大きくされているものであってもよい。このように前後ウエスト弾性体２６，３６の縦方向Ｙにおける離間寸法が大きくなった部分では、おむつ１の着用時に指が引っかかりやすくなる。指を引っかけることによって、おむつ１の着脱時に容易に引き上げたり、引き下げたりすることができる。積層シート７０は、前後ウエスト弾性体２６，３６の離間寸法が大きくなった部分に重ねることができる。このようにすることによって、前後ウエスト部材２０，３０に指を引っかけたときに、前後ウエスト部材２０，３０を破れ難くすることができる。
【００３０】
本実施形態におけるおむつ１においては、クロッチ部材４０を前後ウエスト部材２０，３０の非身体側に接合することとしたので、尿等の排泄物がクロッチ部材４０を伝って前後ウエスト部材２０，３０へと縦方向Ｙに移動したとしても、前後ウエスト部材２０，３０の身体側へと移動することがなく、排泄物が直接着用者の肌に接触することによるかぶれを防止することができる。また、クロッチ部材４０は、第１接合部分６１および第２接合部分６２によって接合され、非接合部分６３によってクロッチ域４へと開口するポケットが形成されている。詳細には、非接合部分６３を画成するクロッチ部材４０のクロッチ両側縁４３と、クロッチ側縁４３の間に位置する前後ウエスト部材２０，３０の前後内端縁２２，３２近傍、およびクロッチ前後端縁４１，４２近傍によってポケットが形成される。このようにポケットが形成されることによって、クロッチ部材４０を縦方向Ｙ移動した排泄物を保持することができ、前後ウエスト部材２０，３０側へと流れるのを防止することができる。
【００３１】
前後ウエスト部材２０，３０の非身体側に取り付けられたクロッチ部材４０のクロッチ前後端縁４１，４２には、これを覆う積層シート７０が取り付けられているので、クロッチ前後端縁４１，４２に着用者の手足や衣類が引っかかるのを防止し、この引っかかりによってクロッチ部材４０が前後ウエスト部材２０，３０から外れてしまうのを防止することができる。また、おむつ１の着用時に、クロッチ部材４０に着用者の足が引っかかり、クロッチ部材４０が前後ウエスト部材２０，３０から離間させるように引っ張られるおそれがあるが、クロッチ部材４０は、第１および第２接合部分６１，６２だけでなく積層シート７０によっても前後ウエスト部材２０，３０に接合されていることから、着用者の足がクロッチ部材４０に引っ掛かったとしても、クロッチ部材４０が前後ウエスト部材２０，３０から外れてしまうことはない。特に、本実施形態では、第１及び第２接合部分６１，６２間に非接合部分６３が画成されていることから、これが画成されていない場合に比べて接合面積が小さくなり、クロッチ部材４０の接合力は小さくなるが、積層シート７０を取り付けることによって、クロッチ部材４０が前後ウエスト部材２０，３０から外れないようにすることができる。
【００３２】
積層シート７０は、その縦方向Ｙの長さ寸法を二等分する中心線が、前後ウエスト部材２０，３０の縦方向Ｙの長さ寸法を二等分する中心線よりも、縦方向Ｙの外側、すなわち、前後外端縁２１，３１側に位置している。言い換えれば、積層シート７０は、前後ウエスト部材２０，３０において、縦方向Ｙ外側に偏倚している。このように、前後外端縁２１，３１に偏倚することによって、おむつ１の端部を摘んだときに、前後ウエスト部材２０，３０とともに積層シート７０が掴まれるようになる。前後ウエスト部材２０，３０を形成する前後ウエスト内外面シート２４，２５，３４，３５を積層シート７０で保護することができるから、これらシートが破損するのを防止することができる。
【００３３】
クロッチ部材４０は、折曲線４８によって横方向Ｘに折り曲げられ、折曲領域４９が前後ウエスト部材２０，３０に接合されるとともに、折曲領域４９に第１および第２クロッチ弾性体４６，４７が取り付けられているので、クロッチ両側縁４３を着用者の身体に密着させることができる。また、折曲線４８の間に吸液構造体５０が配置されているので、吸液構造体５０を着用者の身体から離間させることができる。したがって、吸液構造体５０に排泄された排泄物と着用者の肌とが直接接触することによるかぶれを防止し、かつ、脚周りからの排泄物の漏れを防止することができる。
【００３４】
上記のようなおむつ１において、シーム領域５は、ソニックシール等によって加圧加熱されて形成された複数の接合部８０を有する。前後ウエスト内外面シート２４，２５，３４，３５は、熱溶融性樹脂を含むので、超音波等によって加圧加熱すると、これが溶融して隣接するシートを互いに接合することができる。これら接合部８０は、縦方向Ｙに離間して配置されており、その離間部位においてそれらと並行して横方向Ｘへ延びる前後ウエスト弾性体２６，３６が配設されている。この実施形態において、前後ウエスト弾性体２６，３６は、その断面が円形の弾性糸を用いることができ、その直径Ｒは約０．２〜０．８ｍｍである。
【００３５】
接合部８０は、横方向Ｘ内側に位置する第１部分８１と、第１部分８１の外側に位置する第２部分８２とを有する。第１部分８１と第２部分８２とは、横方向Ｘに離間され、第１部分８１の接合部８０の横方向Ｘ延長線上に第２部分８２の接合部８０が位置している。
【００３６】
図８に示すとおり、接合部８０は、横方向Ｘの長さ寸法Ｗが約０．５〜３．０ｍｍ、この実施形態では約１．５ｍｍ、縦方向Ｙの長さ寸法Ｌが約０．１〜０．８ｍｍ、この実施形態では約０．４ｍｍであって、横方向Ｘに延びる線状を有している。第１部分８１と第２部分８２とにおける接合部８０の離間寸法Ｄ１は、約０．１〜０．８ｍｍ、この実施形態では約０．４ｍｍ、縦方向Ｙに隣接する接合部８０どうしの離間寸法Ｄ２は約０．５〜３．０ｍｍ、この実施形態では約１．５ｍｍとされている。接合部８０の縦方向Ｙの長さ寸法Ｌ、および、第１部分８１と第２部分８２との離間寸法Ｄ１は、前後ウエスト弾性体２６，３６の直径Ｒよりも小さく設定されている。この実施形態において、前後ウエスト弾性体２６，３６の縦方向Ｙの長さ寸法は、直径Ｒとなる。
【００３７】
各接合部８０は、横方向Ｘへほぼ並行に延びる前後ウエスト弾性体２６，３６に対してそれらと並行するように、すなわち、横方向Ｘにおいてそれらと重ならないように、縦方向Ｙへ間欠的に配置されている。したがって、接合部８０によって前後ウエスト弾性体２６，３６が切断されることはなく、前後ウエスト弾性体２６，３６の切断によって前後ウエスト部材２０，３０の横方向Ｘへの収縮が低下するのを防止することができる。また、接合部８０の縦方向Ｙの長さ寸法Ｌが前後ウエスト弾性体２６，３６の直径Ｒよりも小さいので、仮に、接合部８０が前後ウエスト弾性体２６，３６に重なった場合であっても、弾性体を左右に分断するようにその上下端に亘って接合部８０が重なることはなく、これら弾性体が完全に切断されることはない。
【００３８】
また、前後ウエスト弾性体２６，３６を前後ウエスト内面シート２４，３４の内面に取り付ける際に、横方向Ｘに対して斜めに取り付けられた場合には、その一部が接合部８０と交差するおそれがある。しかし、たとえその一部が交差したとしても、接合部８０の第１部分８１と第２部分８２との離間寸法Ｄ１が前後ウエスト弾性体２６，３６の直径Ｒよりも小さくされているので、第１部分８１と第２部分８２との間に弾性体が入り込むことはできず、少なくとも、シーム領域５においては、前後ウエスト弾性体２６，３６を縦方向Ｙに隣接する接合部８０の間に位置させることができる。なお、離間寸法Ｄ２を、前後ウエスト弾性体２６，３６の直径Ｒよりも大きくすることによって、接合部８０の間に前後ウエスト弾性体２６，３６が配置可能とされることは、いうまでもない。
【００３９】
上記のようなシーム領域５は、前後外端縁２１，３１側および前後内端縁２２，３２では、前ウエスト内外面シート２４，２５の２枚と、後ウエスト内外面シート３４，３５の２枚との計４枚が重なって接合されている。積層シート７０が重なった部分では、前ウエスト内外面シート２４，２５と積層シート７０との３枚と、後ウエスト内外面シート３４，３５と積層シート７０と３枚との計６枚が重なって接合されている。よって、積層シート７０が重なった積層部分の接合強度は、他の部分に比較してシーム領域５における接合強度が大きくなっている。具体的には、本実施形態において、積層シート７０の積層部分の接合強度は約２５〜３５Ｎ、この実施形態では約３１．５７Ｎ、積層部分以外の接合強度は約１５〜２５Ｎ、この実施形態では約２１．３０Ｎである。接合強度は、以下の方法によって測定した。
【００４０】
接合強度の測定は、引張試験機（インストロン株式会社製  インストロンシリーズ５５６４）を用いておこなった。図９は、試験方法の概要を示したものである。具体的には、前後ウエスト部材２０，３０の前後ウエスト側縁２３，３３から横方向Ｘ内側に５０ｍｍ、縦方向Ｙの長さが２５ｍｍとなるようにサンプルを作成する。サンプルは、積層シート７０の積層部分およびその他の部分からそれぞれ切断して作成した。サンプルの前ウエスト部材２０側端部を一方のチャックに固定し、後ウエスト部材３０側端部を他方のチャックに固定し、引張速度５００ｍｍ／ｍｉｎで離間させ、そのときの最大荷重（Ｎ）を接合強度とした。チャック間は１０ｍｍに設定し、サンプル数をそれぞれｎ＝１０とし、平均値を算出した。
【００４１】
このように積層シート７０の積層部分において、他の部分よりも接合強度が大きくなるのは、他の部分よりも厚くなり、その分、接合の際に加えられる圧力が大きくなるためと考えられる。また、積層されるシートが繊維不織布である場合には、互いに係合する繊維が多くなり、特に、対向する前後ウエスト内面シート２４，３４との接合部分に、それぞれ積層される前後ウエスト外面シート２５，３５および積層シート７０の繊維が延出し、これら延出した繊維が前後ウエスト内面シート２４，３４の接合強度を増大させる可能性も考えられる。
【００４２】
この実施形態では、前後内外端縁２１，２２，３１，３２近傍において、比較的接合強度が小さいことによって、おむつ１の使用後において、これら端縁からシーム領域５を剥離しておむつ１を着用者から外す際には、剥離し易くすることができる。一方、積層シート７０が積層された積層部分においては、その接合強度が大きいので、着用時に妄りにシーム領域５が外れるのを防止することができる。
【００４３】
図７に示すとおり、積層シート７０は、ホットメルト接着剤等の接合手段によって、前後ウエスト部材２０，３０の前後ウエスト外面シート２５，３５に接合されている。積層シート７０と前後ウエスト外面シート２５，３５の間には、接着剤等が塗布された接合領域７４と、接着剤等が塗布されない非接合領域７５が形成されている。接合領域７４は、積層シート７０の縦方向Ｙのほぼ中央に位置し、非接合部７５は、積層シート内外端縁７１，７２に沿って、接合領域７４の縦方向Ｙの両外側に形成されている。このように積層シート内外端縁７１，７２を非接合領域７５とするのは、ホットメルト接着剤等が積層シート７０からはみ出すのを防止するためである。積層シート７０は、その両側縁７３が、接合部８０によって前後ウエスト部材２０，３０に接合されるとともに、その内外端縁７１，７２が前後ウエスト部材２０，３０に接合されている。したがって、非接合領域７５が積層シート７０の内外端縁７１，７２に形成された場合であっても、少なくともその両端縁７３で固定することができ、着用中に積層シート７０が不用意にめくれてしまうことはない。
【００４４】
前後ウエスト部材２０，３０の前後内端縁２１，３１および前後外端縁２２，３２には、前ウエスト内外面シート２４，２５および後ウエスト内外面シート３４，３５を互いに接合する複数のシール部９０が形成されている。シール部９０は、複数形成されるとともに、少なくとも前後内端縁２１，３１に沿って横方向Ｘに離間されて形成されている。このようにシール部９０を形成することによって、前ウエスト内外面シート２４，２５および後ウエスト内外面シート３４，３５を間接的に接合し、これらシート間に着用者の手足が入らないようにしている。前ウエスト内外面シート２４，２５間、後ウエスト内外面シート３４，３５間では、その前後内外端縁２１，２２，３１，３２近傍においては、接着剤のはみ出しを防止するために、接着剤を塗布しない領域を形成することが有り、このように接着剤を塗布しない場合には、内外面シートが離間し、これらの間に着用者の指等が入りやすくなってしまうが、シール部９０の形成によって、これを防止することができる。
【００４５】
この実施形態では、シール部９０は、前後内端縁２１，３１および前後外端縁２２，３２のいずれにも形成することとしているが、少なくともいずれか一方に形成されていればよい。いずれか一方に形成する場合には、前後外端縁２２，３２に形成することが好ましい。前後外端縁２２，３２では、おむつ１のウエスト開口が形成され、おむつ１の着用時および着用中には、前後内端縁２１，３１に比べて内外面シートの間に手や足が引っかかりやすいからである。
【００４６】
シール部９０は、直径が約０．５〜２．０ｍｍ、この実施形態では約１．０ｍｍにされ、横方向Ｘにおける離間寸法Ｄ３は約１０．０ｍｍである。離間寸法Ｄ３は、シール部９０の中心から、隣接するシール部の中心までの寸法としている。これらシール部９０は、例えばヒートシールによって形成することができる。また、シール部９０は、前後内端縁２１，３１および前後外端縁２２，３２と、これら端縁に隣接する前後ウエスト弾性部材２６，３６との間において横方向Ｘへ一列に形成されているが、かかる態様に限られるものではなく、二列以上形成されてもよい。また、二列以上形成される場合には、縦方向Ｙに隣接する前後ウエスト弾性部材２６，３６の間にも形成されるようにしてもよい。
【００４７】
シール部９０は、前後ウエスト側縁２３，３３の間に横方向Ｘに間欠的に形成され、少なくともその一部は、シーム領域５の接合部８０に重なるようにされている。このようにシール部９０が重なった接合部８０においては、シール部９０が重ならない接合部８０よりもその接合強度が小さくされる。この実施形態においてシール部９０が形成され、ウエスト内外面シートが互いに接合された後に、前後ウエスト部材２０，３０を互いに接合し接合部８０を形成するが、シール部９０が形成された部分では、加圧加熱によって前後ウエスト内外面シート２４，２５，３４，３５の一部が溶融されてフィルム化されている。したがって、接合部８０の形成時に再度、加圧加熱しても互いに溶融接合可能な繊維が少なくなっているから、接合面積が小さくなって接合強度が小さくなると考えられる。接合部８０での接合強度が部分的に小さくなることによって、おむつ１の使用後にシーム領域５を剥離する際には、容易にこれを剥離することができる。特に、シーム領域５の破り始めの接合強度が小さいことによって、シーム領域５全体の剥離を容易にすることができる。また、接合強度が小さくなるのは、シール部９０と重なった一部であるので、シーム領域５全体における接合強度を小さくすることはない。
【００４８】
接合部８０は、横方向Ｘに離間する第１部分８１と第２部分８２とを有することとしているが、このように第１および第２部分８１，８２を離間させることによって、シーム領域５の柔軟性を確保することができる。第１および第２部分８１，８２を離間させることによって、少なくとも離間部分における剛性は大きくなることがなく、また離間部に沿って容易に折れ曲がることができる。したがって、例えば前後ウエスト側縁２３，３３が肌に接触した際の刺激を低減することができる。
【００４９】
この実施形態において、前後ウエスト弾性体２６，３６は、その断面形状が円形のものを用いているが、これに限ったものではなく、例えば、その断面形状が楕円、正方形、長方形等のものを用いることもできる。このような場合、前後ウエスト弾性体２６，３６の縦方向Ｙの長さ寸法Ｌとは、前後ウエスト部材２０，３０に取り付けられた状態における縦方向Ｙの長さ寸法になるが、多くの場合は、断面形状における最大寸法が、前後ウエスト弾性体２６，３６の縦方向Ｙの長さ寸法Ｌとなる。
【００５０】
図１０は、この実施形態の他の例を示したものである。図示したように、接合部８０を円形にしたことを特徴とし、他の構成は図１〜７に示したものと同様である。同様の構成についてはその説明を省略する。
【００５１】
図１０に示すとおり、接合部８０は、円形状を有し、その直径Ｌが約０．５〜３ｍｍ、この実施形態では約１．５ｍｍである。第１部分と第２部分８１，８２との離間寸法Ｄ１は約０．１〜０．８ｍｍ、この実施形態では約０．４ｍｍ、縦方向Ｙに隣接する接合部８０の離間寸法Ｄ２は約０．５〜３．０ｍｍ、この実施形態では約１．５ｍｍである。接合部８０の縦方向Ｙの長さ寸法Ｌ，第１および第２部分８１，８２間の離間寸法Ｄ１は、前後ウエスト弾性体２６，３６の直径Ｒよりも小さくされている。
【００５２】
接合部８０を円形にすることによって、接合部８０の端部において互いに接合された前後ウエスト内外面シート２４，２５，３４，３５が破れてしまうのを防止することができる。接合部８０の形状は、線状、円形状のほか、菱形状、三角形状等、適宜変更可能である。また、第１部分８１と第２部分８２との間にも、接合部８０を配置してもよい。
【００５３】
おむつ１を構成する各構成部材には、この明細書に記載されている材料のほかに、この種の分野において通常用いられている、各種の公知の材料を制限なく用いることができる。また、この発明の明細書において、用語「第１」および「第２」は、同様の要素、位置等を単に区別するために用いられている。
【符号の説明】
【００５４】
１    おむつ（使い捨ての着用物品）
２    前ウエスト域
３    後ウエスト域
４    クロッチ域
５    シーム領域
２０    前ウエスト部材
２１    前外端縁
２４    前ウエスト内面シート
２５    後ウエスト外面シート
２６    前ウエスト弾性体
３０    後ウエスト部材
３１    後外端縁
３４    後ウエスト内面シート
３５    後ウエスト外面シート
３６    後ウエスト弾性体
４０    クロッチ部材
４１    クロッチ前端縁
４２    クロッチ後端縁
７０    積層シート
７１    積層シートの外端縁
７２    積層シートの内端縁
７３    積層シートの両側縁
７４    接合領域
７５    非接合領域
８０    接合部
８１    第１部分
８２    第２部分
９０    シール部
Ｘ    横方向
Ｙ    縦方向
【図１】
0005709450.tif 000002
【図２】
0005709450.tif 000003
【図３】
0005709450.tif 000004
【図４】
0005709450.tif 000005
【図５】
0005709450.tif 000006
【図６】
0005709450.tif 000007
【図７】
0005709450.tif 000008
【図８】
0005709450.tif 000009
【図９】
0005709450.tif 000010
【図１０】
0005709450.tif 000011